(57)【要約】      （修正有）【課題】ベルト本体を簡単にノートパソコンの側周に装着することができ、また取り付けた後には外れにくいノートパソコン用携帯具を提供する。【解決手段】ディスプレイを本体に重合した閉止状態にあるノートパソコンに装着して、ノートパソコンを携帯し得るようにしたノートパソコン用携帯具であって、ノートパソコンの側周を１回りする長さを有するベルト本体からなるとともに、ベルト本体は、長さ方向の所定位置にノートパソコンの４隅をはめ込む縦長のスリットと、長さ方向の両端部分に張力をかけた状態で締め付ける連結部材とを具備しており、ベルト本体の縦長のスリットにノートパソコンの４隅をはめ込んだ上で、ベルト本体をノートパソコンの側周に巻き付け、ベルト本体両端部分の連結部材を張力をかけた状態で締め付けてノートパソコンを保持するようにしたノートパソコン用携帯具。【選択図】図１
0003109993.tif 000002
【実用新案登録請求の範囲】
【請求項１】
ディスプレイを本体に重合した閉止状態にあるノートパソコンに装着して、ノートパソコンを携帯し得るようにしたノートパソコン用携帯具であって、ノートパソコンの側周を１回りする長さを有するベルト本体からなるとともに、当該ベルト本体は、長さ方向の所定位置にノートパソコンの４隅をはめ込む縦長のスリットと、長さ方向の両端部分に張力をかけた状態で締め付ける連結部材とを具備しており、ベルト本体の縦長のスリットにノートパソコンの４隅をはめ込んだ上で、ベルト本体をノートパソコンの側周に巻き付け、ベルト本体両端部分の連結部材を張力をかけた状態で締め付けてノートパソコンを保持するようにしたことを特徴とするノートパソコン用携帯具。
【請求項２】
ベルト本体が、２本のベルト原材料を幅方向に連結して一体化してなることを特徴とする請求項１に記載のノートパソコン用携帯具。
【請求項３】
ベルト本体が、皮革、合成樹脂製バンド、布テープ等からなる素材から選ばれてなることを特徴とする請求項１または２に記載のノートパソコン用携帯具。
【考案の詳細な説明】
【技術分野】
【０００１】
この考案は、ノートパソコンに装着して携帯するためのノートパソコン用携帯具に関するものである。
【背景技術】
【０００２】
Ａ４版サイズのノートパソコンや、Ｂ５版サイズのいわゆるモバイル型のノートパソコン等を携帯して外出する場合には、従来より、専用のキャリングケースや大きめの鞄等、ノートパソコン全体を略完全に覆う収容具に入れるようにしたものが知られている。
【０００３】
ところが、このようなものであると、携帯時に鞄等の内部でノートパソコンが動いた際に衝撃で損傷する恐れがある。このような不具合を解消して、鞄等の内部でノートパソコンを安定的に収容するようなものも種々開発されてはいるが、いずれにしても、外出先でノートパソコンを使用する際には、その都度鞄等からノートパソコンを取り出し、使用後は再び鞄等に入れ直す必要があるため、その出し入れが極めて面倒である。
【０００４】
そこで、特開２００１−１７８５２４公報（特許文献１参照）のように、ディスプレイを本体に重合した閉止状態にあるノートパソコンに装着して、ノートパソコンを携帯し得るようにしたノートパソコン用携帯具であって、ノートパソコンの少なくとも４隅を覆う位置に配置されるコーナーガードと、一部をコーナーガードに取り付けて各コーナーガードをノートパソコンの中央に向かって対角方向に張力をかけた状態で引き寄せる引き寄せ部材とを具備してなることを特徴とするノートパソコン用携帯具が提案されている。
【特許文献１】特開２００１−１７８５２４公報
【考案の開示】
【考案が解決しようとする課題】
【０００５】
しかしながら上記ノートパソコン用携帯具においては、ノートパソコンの少なくとも４隅を覆う位置に配置されるコーナーガードがあって、このコーナーガードをそれぞれノートパソコンの４隅にはめ込む必要があるためノートパソコンを装着する操作が面倒で、コーナーガードが外れやすいという問題があった。
この考案は、以上のような問題に鑑みて、ベルト本体を簡単にノートパソコンの側周に装着することができ、また取り付けた後には外れにくいノートパソコン用携帯具を提供しようとするものである。
【課題を解決するための手段】
【０００６】
すなわち、この考案のノートパソコン用携帯具は、ディスプレイを本体に重合した閉止状態にあるノートパソコンに装着して、ノートパソコンを携帯し得るようにしたノートパソコン用携帯具であって、ノートパソコンの側周を１回りする長さを有するベルト本体からなるとともに、当該ベルト本体は、長さ方向の所定位置にノートパソコンの４隅をはめ込む縦長のスリットと、長さ方向の両端部分に張力をかけた状態で締め付ける連結部材とを具備しており、ベルト本体の縦長のスリットにノートパソコンの４隅をはめ込んだ上で、ベルト本体をノートパソコンの側周に巻き付け、ベルト本体両端部分の連結部材を張力をかけた状態で締め付けてノートパソコンを保持するようにしたことを特徴とするものである。
【０００７】
また、この考案のノートパソコン用携帯具は、上記ベルト本体が、２本のベルト原材料を幅方向に連結して一体化してなることをも特徴とするものである。
【０００８】
さらにこの考案のノートパソコン用携帯具は、上記ベルト本体が、皮革、合成樹脂製バンド、布テープ等からなる素材から選ばれてなることをも特徴とするものである。
【考案の効果】
【０００９】
この考案のノートパソコン用携帯具によれば、ほぼ１本のベルト本体で構成されているため構造が単純で製造しやすく、低コストで市場に提供することができ、またベルト本体の縦長のスリットにノートパソコンの４隅をはめ込んだ上で、ベルト本体をノートパソコンの側周に巻き付け、ベルト本体両端部分の連結部材を張力をかけた状態で締め付けるという、きわめて簡単な操作でノートパソコンに取り付けることができる。
【００１０】
さらにこの考案のノートパソコン用携帯具によれば、ノートパソコンを閉止状態にロックするためのロック装置が緩んでいたり壊れている場合でも、４隅が確実に閉じられるので、閉止状態のノートパソコンが不意に開くことを有効に防止することができる。
【考案を実施するための最良の形態】
【００１１】
以下、この考案のノートパソコン用携帯具に係る実施の形態を、図面を参照して詳細に説明する。
図１はこの考案のノートパソコン用携帯具に１実施例を示すもので、ノートパソコンに取り付けた状態の正面図、図２はその側面図、図３はその斜視図、図４はベルト本体の連結部材を解除した状態の斜視図、図５はノートパソコン用携帯具の１例を示す、展開状態の正面図、図６はノートパソコン用携帯具の他の例を示す、展開状態の正面図、図７は連結部材の他の例を示す斜視図である。
【００１２】
図１ないし図４において、１１は一般的なＡ４版サイズのノートパソコン２１に適用される携帯具１１である。携帯具１１は上記ノートパソコン２１が、ディスプレイ２２を本体２３に重合した閉止状態において装着される。
上記ノートパソコン用携帯具１１は、ノートパソコン２１の側周を１回りする長さを有するベルト本体１２から構成されている。このベルト本体１２は適宜、皮革、合成樹脂製バンド、布テープ等からなる素材から選ばれ、ノートパソコン２１にマッチしたデザインのものとすることが望ましい。
そして上記ベルト本体１２は、長さ方向の所定位置にノートパソコン２１の４隅をはめ込む縦長のスリット１３と、長さ方向の両端部分に張力をかけた状態で締め付ける連結部材１４，１５とを具備している。
【００１３】
上記連結部材１４，１５は、一方の連結部材１４が上下２枚のベルト片１４ａ，１４ｂで構成され、この２枚のベルト片１４ａ，１４ｂの間に他方の連結部材１５のベルト片１５ａを挟み込んで連結するものである。もちろん、ベルト片１４ａ，１４ｂのそれぞれ対向面、ベルト片１５ａの両面もしくは少なくとも上面側にはベルクロファスナ等の面ファスナ１６やホック、その他の係合部材を取り付けておくことが必要である。
１７はベルト片１４ａとベルト片１５ａとを結束するためのリング状結束体、１８は連結部材１４，１５と同じ箇所に取り付けられた吊下げ用の金具である。
【００１４】
上記ノートパソコン用携帯具１１の使用に際しては、ベルト本体１２の縦長のスリット１３にノートパソコン２１の４隅をはめ込んだ上で、ベルト本体１２をノートパソコン２１の側周に巻き付け、張力をかけた状態でベルト本体２１両端部分の連結部材１４のベルト片１４ａと連結部材１５のベルト片１５ａを重ね、ベルト片１５ａをリング状結束体１７に差し込んで連結する。その上で連結部材１４のベルト片１４ｂを連結部材１５のベルト片１５ａ上に重ね、面ファスナ１６で両者を係合固定する。このようにこの考案のノートパソコン用携帯具１１は、ベルト本体１２をノートパソコン２１の側周に巻き付け、締め付けるようにして保持するものである。
【００１５】
その際、この考案のノートパソコン用携帯具１１は、ベルト本体１２をノートパソコン２１の側周に巻き付け、締め付けるようにして保持するようにしているので、ノートパソコン２１の重みがベルト本体１２にかかればかかるほど、スリット１３にノートパソコン２１の４隅に食い込むので、ノートパソコン２１からノートパソコン用携帯具１１が外れにくい。
またこの考案のノートパソコン用携帯具１１は連結部材１４，１５の部分を手で持って持ち運ぶことができる上、吊下げ用金具１８に肩掛け用のベルトを取り付けることにより、肩掛けタイプとしても使用することができる。
【００１６】
この考案のノートパソコン用携帯具１１は図５に示すように、所定の幅を有するベルト本体１２に、スリット１３を形成する。このスリット１３は、皮革、合成樹脂製バンド、布テープ等からなる素材にカッタや焼きごて等で切込みを入れることにより、適宜形成することができる。１６は連結部材１４，１５に設けた面ファスナである。
【００１７】
この考案のノートパソコン用携帯具１１はまた、図６に示すように、２本のベルト原材料Ａ，Ｂを幅方向に連結して一体化し、所定幅のベルト本体１２とすることができる。そしてこの２本のベルト原材料Ａ，Ｂをそれぞれ色違いや表面を異なるデザインのものとすることにより、ツートンカラーや趣きの異なるデザインのものを得ることができる。
またスリット１３に関しては、皮革、合成樹脂製バンド、布テープ等からなる素材を接着剤や縫製（ミシン縫い等）によって連結するに際し、部分的に連結しない箇所を作ることにより、適宜形成することができる。１６は連結部材１４，１５に設けた面ファスナである。
【００１８】
この考案のノートパソコン用携帯具１１においては図７に示すように、連結部材１４，１５として、一方の連結部材１４には、外向きに突起３２を形成した幅方向に一対の、例えば弾性プラスチック等からなる弾性係合部材３１を突設し、他方の連結部材１５は先端に扁平な筒状部材３３を設け、筒状部材３３の両側側壁には上記突起３２を係合する切欠き３４を開口させている。
したがって、図７の実施例においては、弾性係合部材３１を筒状部材３３に差し込み、突起３２を切欠き３４に係合させることによって、ワンタッチで連結部材１４，１５を連結することができる。
もちろん、一対の弾性係合部材３１の突起３２を筒状部材３３の幅よりも大きい幅としておき、プラスチック製弾性係合部材３１の弾性を利用して筒状部材３３に押し込み、突起３２が切欠き３４に係合した時点で自動的に突起３２が外向きに広がることによって、突起３２が切欠き３４に係合するよう構成しておく。
取り外しの際には、切欠き３４に係合している突起３２を内側に押し込んで、弾性係合部材３１を筒状部材３３から引き抜けばよい。
【産業上の利用可能性】
【００１９】
この考案のノートパソコン用携帯具は、４隅が略直角に角張っているノートパソコンに限らず、丸く面取りを施しているもの等に適用しても有用なものである。
その他、ノートパソコンだけでなくノート型のワープロ等や、モバイル型の携帯可能な電子機器類、あるいはそれらの類似機器についても、この考案のノートパソコン用携帯具を適宜使用することができる。
【００２０】
もちろん、携帯可能な電子機器類の種類やサイズに応じて複数のノートパソコン用携帯具を用意しておき、適宜使用することが望ましいが、この考案のノートパソコン用携帯具の構造上、大中小程度のサイズを用意するだけで、充分携帯可能な電子機器類の種類やサイズに対応することができる。
【図面の簡単な説明】
【００２１】
【図１】この考案のノートパソコン用携帯具に１実施例を示すもので、ノートパソコンに取り付けた状態の正面図である。
【図２】その側面図である。
【図３】その斜視図である。
【図４】ベルト本体の連結部材を解除した状態の斜視図である。
【図５】ノートパソコン用携帯具の１例を示す、展開状態の正面図である。
【図６】ノートパソコン用携帯具の他の例を示す、展開状態の正面図である。
【図７】連結部材の他の例を示す斜視図である。
【符号の説明】
【００２２】
１１  ノートパソコン用携帯具
１２  ベルト本体
１３  スリット
１４，１５  連結部材
１４ａ，１４ｂ，１５ａ  ベルト片
１６  面ファスナ
１７  リング状結束体
１８  吊下げ用金具
Ａ，Ｂ  ベルト原材料
２１  ノートパソコン
２２  ディスプレイ
２３  本体
３１  弾性係合部材
３２  突起
３３  筒状部材
３４  切欠き
【図１】
0003109993.tif 000003
【図２】
0003109993.tif 000004
【図３】
0003109993.tif 000005
【図４】
0003109993.tif 000006
【図５】
0003109993.tif 000007
【図６】
0003109993.tif 000008
【図７】
0003109993.tif 000009